(57)【要約】【課題】螺旋体および払出軸が単一体となるように合成樹脂で成形された球払出構造体は軸心が曲がってしまう。【解決手段】払出モータによって回転駆動されることで、タンク内に貯蔵された球をタンクから１個ずつ分離しながら下流側に払い出すために、タンク２の内部に設けられ、螺旋体８５を払出軸８２の軸心と平行な方向に球を１個ずつ分離する間隔で払出軸８２の外周面１０９から径方向外側に螺旋形状に突出させた遊技機の球払出構造体４において、払出軸８２が軸心Ｇに沿って形成された孔（貫通孔８９）を有した筒部８７と孔に配置されて筒部に固着された芯金８６とを備えた。【選択図】図１
2007175327.tif 000002
【特許請求の範囲】
【請求項１】
払出モータによって回転駆動されることで、タンク内に貯蔵された球をタンクから１個ずつ分離しながら下流側に払い出すために、タンクの内部に設けられ、螺旋体を払出軸の軸心と平行な方向に球を１個ずつ分離する間隔で払出軸の外周面から径方向外側に螺旋形状に突出させた遊技機の球払出構造体において、払出軸が軸心に沿って形成された孔を有した筒部と孔に配置されて筒部に固着された芯金とを備えたことを特徴とする遊技機の球払出構造体。
【請求項２】
芯金の先端部が少なくとも筒部の先端部から外側に突出し、芯金の先端部には芯金の外周部の一部を取り除いた除去部が設けられたことを特徴とする請求項１に記載の遊技機の球払出構造体。
【請求項３】
芯金の後端部が筒部の後端部から突出することなく孔に配置され、筒部の後端部には被検出体が設けられ、被検出体が筒部から径方向外側に突出した円盤状の張出部と筒部の後端から離れる方向に突出するように張出部の外周部に設けられた円形な周壁部と周壁部に設けられた被検出部とを備え、被検出部が払出軸の１回転で２回検出されるように周壁部を周方向に２等分した位置に設けられたことを特徴とする請求項１又は請求項２に記載の遊技機の球払出構造体。
【請求項４】
芯金の後端部が筒部の後端部から突出することなく孔に配置され、筒部の後端部には払出モータの出力軸を連結する結合部が設けられたことを特徴とする請求項１乃至請求項３のいずれかに記載の遊技機の球払出構造体。
【請求項５】
周壁部の外周面には平歯車が形成されたことを特徴とする請求項３に記載の遊技機の球払出構造体。
【発明の詳細な説明】
【技術分野】
【０００１】
本発明は軸心の曲がりを防止可能な遊技機の球払出構造体に関する。
【背景技術】
【０００２】
遊技機の球払出構造体は、螺旋体が払出軸の軸心と平行な方向に球を１個ずつ分離する間隔で払出軸の外周面から径方向外側に螺旋形状に突出した構造であって、払出モータによって回転駆動されると、タンク内に貯蔵された球をタンクから１個ずつ分離しながら下流側に払い出す。しかしながら、球払出構造体がタンクの内部に設置され、球払出構造体が払出モータで回転駆動された場合、タンク内に貯蔵された多量の球からの球圧が球払出構造体に負荷されたまま、球払出構造体が一方向に駆動されるので、払出軸の直径を細く形成した場合、上記負荷によって払出軸が破損することがある。このようなことから、払出軸の直径を９ｍｍ程度に設定し、螺旋体の払出軸からの突出寸法を４ｍｍ程度に設定し、螺旋体および払出軸が単一体となるように合成樹脂で成形されたことによって、球払出構造体が作られた場合、払出軸の体積が螺旋体の体積よりも飛躍的に大きいので、成形後の合成樹脂が硬化する過程において、螺旋体が冷えているにもかかわらず、払出軸の内部が冷えていないというように球払出構造体の全体における硬化時間のアンバランスによって軸心が曲がってしまうという欠点があった。
【特許文献１】特開平８−３８６９９号公報
【特許文献２】特開平９−２７６４９２号公報
【特許文献３】特開２００４−２０８８２２号公報
【発明の開示】
【発明が解決しようとする課題】
【０００３】
発明が解決しようとする問題点は、螺旋体および払出軸が単一体となるように合成樹脂で成形された球払出構造体は軸心が曲がってしまうという点である。
【課題を解決するための手段】
【０００４】
本発明に係る遊技機の球払出構造体は、払出モータによって回転駆動されることで、タンク内に貯蔵された球をタンクから１個ずつ分離しながら下流側に払い出すために、タンクの内部に設けられ、螺旋体を払出軸の軸心と平行な方向に球を１個ずつ分離する間隔で払出軸の外周面から径方向外側に螺旋形状に突出させた遊技機の球払出構造体において、払出軸が軸心に沿って形成された孔を有した筒部と孔に配置されて筒部に固着された芯金とを備えたことを特徴とする。芯金の先端部が少なくとも筒部の先端部から外側に突出し、芯金の先端部には芯金の外周部の一部を取り除いた除去部が設けられたことや、芯金の後端部が筒部の後端部から突出することなく孔に配置され、筒部の後端部には被検出体が設けられ、被検出体が筒部から径方向外側に突出した円盤状の張出部と筒部の後端から離れる方向に突出するように張出部の外周部に設けられた円形な周壁部と周壁部に設けられた被検出部とを備え、被検出部が払出軸の１回転で２回検出されるように周壁部を周方向に２等分した位置に設けられたことや、芯金の後端部が筒部の後端部から突出することなく孔に配置され、筒部の後端部には払出モータの出力軸を連結する結合部が設けられたことや、周壁部の外周面には平歯車が形成されたことも特徴とする。
【発明の効果】
【０００５】
本発明に係る遊技機の球払出構造体によれば、払出軸が筒部と筒部に固着された芯金とを備えた構造としたので、球払出構造体の軸心の曲がりを防止できる。芯金の先端部に除去部を設けたことで、球が螺旋体と螺旋体の周辺にあるタンクのような構造体との間に挟まれるいわゆる球詰まりを解消させるために球払出構造体を人為的に回転させたい場合に、除去部が工具で掴み易くなり、球払出構造体を容易に回転させることができる。筒部の後端部が払出軸の１回転で２回検出される被検出部を備えたので、被検出部の検出により得られる払出軸の回転位置信号を正確に検出でき、制御装置が回転位置信号に基づいて払出モータの回転数制御を正確に行うことができる。筒部の後端部が払出モータの出力軸を連結する結合部を備えたので、球払出構造体への回転伝達機構を不要とできる。筒部の後端部が周壁部の外周面に平歯車を備えたので、払出モータを球払出構造体の軸心上以外の位置に配置でき、払出モータの取付位置の制限を少なくできる。
【発明を実施するための最良の形態】
【０００６】
最良の形態１
図１乃至図４は最良の形態１を示す。図１は遊技機の球払出構造体を示し、ａ図は球払出構造体を左端部側から見て示し、ｂ図は球払出構造体を右端部側から見て示し、ｃ図は球払出構造体の軸心に沿った断面を示す。図２は球払出構造体を備えた球払出装置の断面を示す。図３は球払出装置を備えたパチンコ遊技機を裏側から見て示す。図４は球払出装置を分解して示す。本明細書において、「前」、「後」、「裏」、「左」、「右」、「上」、「下」の方向は、図４の状態に球払出装置１を置いて矢印Ａで示す前側から見た場合に特定される方向である。「後」と「裏」とは同じ方向である。
【０００７】
図１を参照し、遊技機の球払出構造体４の構造を説明する。球払出構造体４は、払出軸８２、螺旋体８５を備える。払出軸８２は芯金８６と筒部８７とを備える。芯金８６は円形棒により形成され、芯金８６の先端部としての左端部１０４には除去部１０２を備える。芯金８６の外周面８８はローレット加工のような加工法によって凹凸状に形成される。筒部８７は、払出軸８２の軸心に沿って形成されて両端を貫通させた貫通孔８９を囲む合成樹脂により形成される。球払出構造体４はインサート成形法のような成形方法により成形される。即ち、芯金８６が図外の金型にセットされ、合成樹脂が芯金８６の外周囲に射出されることで、合成樹脂が芯金８６の外周面８８を覆い、芯金８６の外周面８８と貫通孔８９の内壁１０１とが合成樹脂の硬化によって互いに固着される。これにより、芯金８６と筒部８７と螺旋体８５とが一緒に回転し、芯金８６の空回りが防止されるとともに、筒部８７からの芯金８６の抜けを防止できる。つまり、芯金８６は、筒部８７の軸心Ｇに沿って延長し筒部８７の両端に貫通する貫通孔８９内に配置されて筒部８７の貫通孔８９の内壁１０１に固着される。よって、払出軸８１が筒部８７に固着された芯金８６とを備えるので、球払出構造体４が作られた場合、芯金８６により球払出構造体４の軸心の曲がりがなくなり、また、芯金８６により球払出構造体４の強度が増す。除去部１０２は、筒部８７の先端部としての左端部８３から外側に突出する芯金８６の先端部としての左端部１０４における外周部の一部が取り除かれて形成される。つまり、芯金８６の左端部１０４には芯金８６の左端部１０４から筒部８７の方向に延長する除去部１０２によって平面部１０５が形成される。この除去部１０２は、球詰まりを解消させるために球払出構造体を人為的に回転させたい場合に工具で芯金８６を掴んで回す際の掴み部として利用できるので、球払出構造体４を容易に回転させることができるようになる。芯金８６の後端部としての右端部１０６は、筒部８７の後端部としての右端部１０６から突出することなく貫通孔８９に配置される。
【０００８】
球払出構造体４の後端部である右端部８４には、被検出体４５、結合部４６、突起４７が形成される。被検出体４５は、筒部８７の右端部１０６に形成され、張出部４８、周壁部４９、被検出部６０を備える。張出部４８は、払出軸８２の軸心Ｇを中心として筒部８７から径方向外側に突出した円盤状に形成される。周壁部４９は、張出部４８の右面の円周縁部より右に突出する環状壁として形成される。被検出部６０は、周壁部４９の右面から左側に向かう内部に窪み、張出部４８の右側と内側および外側に開口する溝として構成される。被検出部６０は、被検出体４５の直径線上に位置して相対峙する一対で形成される。つまり、払出軸８２の１回転で２回検出されるように周壁部４９を周方向に２等分した位置に設けられる。よって、被検出部６０が位置検出器６６（図２参照）によって検出されることで得られる払出軸８２の回転位置信号を正確に検出できるようになり、図外の制御装置がこの回転位置信号に基づいて払出モータ１３（図２参照）の回転数制御を正確に行うことができる。結合部４６は、張出部４８の右面の中心付近より右に突出する環状壁として形成される。この結合部４６の内側に形成された異形孔５２内に払出モータ１３の出力軸８１（図２参照）を連結することで、払出モータ１３の駆動力をいわゆる直結結合によって球払出構造体４に伝達できるので、歯車機構のような複雑な回転伝達機構を不要とできる。突起４７は、張出部４８の左面より左に突出する一部欠けた円盤形状である。一部欠けた部分は、球払出構造体４の成形の際に、芯金８６を金型に固定するために固定ピンでつかまれていた芯金８６の部分であって、合成樹脂の付かない露出部分１０７である。すなわち、突起４７は、円盤の相対峙する１８０°を隔てた部分が露出部分１０７となっていて、外周面１０８が円周面の一部を形成する。これら被検出体４５、連結部４６、突起４７は、払出軸８２の軸心Ｇと同軸に形成される。
【０００９】
図２を参照し、球払出構造体４を備えた遊技機の球払出装置１の構造を説明する。球払出装置１は、タンク２および払出機構３を備える。払出機構３は、払出モータ１３により回転する球払出構造体４を備える。払出機構３の蓋体４０の取込口１５１より左に突出する球払出構造体４がタンク２の上開口２１よりタンク２の払出収容部１２に収容されて球払出構造体４の筒部８７の左端部８３より外側に突出する芯金８６が払出軸受孔１７に回転可能に挿入されるとともに蓋体４０より左面より突出して設けられた球検出器ホルダ１５２が下開口２２を経由して払出逃避孔１８の下方に位置された状態で、タッピングスクリューのような止ねじ７が払出機構３の機構躯体６の外側から機構躯体６の筐体取付部８を経由してタンク２の機構取付部９に締結されることによって（図４参照）、払出機構３とタンク２とが互いに一体となるように組み立てられ、球払出装置１が構成される。球払出構造体４の螺旋体８５は、払出機構３とタンク２とが互いに一体となるように組み立てられた状態において、払出軸８２における筒部８７の一端部である左端部８３から蓋体４０の左表面１５５の位置までの筒部８７の外周面１０９に存在し、蓋体４０に形成された賞球通路１５３及び球抜通路１００の上の位置には存在しない。
【００１０】
図４に示すように、タンク２は、球貯蔵部１０および基板収容部１５を備える。球貯蔵部１０および基板収容部１５の配置は、球貯蔵部１０が後側で、基板収容部１５が前側である。球貯蔵部１０は、遊技機設置構造体の補給機構から排出されたパチンコ球と呼ばれる球を貯蔵する部屋であって、上方に開口した箱形の部屋として構成される。球貯蔵部１０の底壁には、供給口１１、払出収容部１２、庇１６が設けられる。球貯蔵部１０の底壁における球と接触する底面は、球が球貯蔵部１０の周囲から供給口１１に向けて流れる斜面を形成する。供給口１１は、右側で前後方向の中央部に位置し、上下方向に貫通、左右方向に長い方形に形成される。払出収容部１２は、供給口１１から下方に窪む空間を形成する。庇１６は、供給口１１の右側部を塞ぎ、球貯蔵部１０に貯蔵された球が球払出構造体４に取り込まれて右側部に到達した球と干渉しないように、球貯蔵部１０から供給口１１への球の流入を阻止する。払出収容部１２の左側壁には、払出軸受孔１７が設けられる。払出収容部１２の底部には払出逃避孔１８および異物排出孔１９が設けられる。
【００１１】
タンク２の右側壁には、機構取付部９、上開口２１、下開口２２が設けられる。機構取付部９は、タンク２の右側壁の四隅から右側に突出した筒状として構成される。上開口２１は、払出収容部１２の右側壁に対応する部分の全体を除去した形態であって、球払出構造体４が挿入されることによって、球払出構造体４の前後に球を１個ずつ払出機構３に供給する導出口を形成する。下開口２２は、払出球検出器５を取り込むように、左右方向への貫通孔として構成される。球貯蔵部１０と基板収容部１５との間に設けられた隔壁２３には、補給検出機構２４および球切れ検出機構２５が装着される。補給検出機構２４は、球貯蔵部１０に貯蔵された球の個数が少ないことを検出して補給信号を出力する。補給信号が遊技店の店営業を管理するホールコンピュータに出力されることによって、ホールコンピュータが遊技機設置構造体の補給機構を駆動し、補給機構が球を球貯蔵部１０に補給する。球切れ検出機構２５は、球貯蔵部１０に貯蔵された球の個数が補給検出機構２４で検出する数量よりも少ないことを検出して球切れ信号を出力する。球切れ信号が遊技店の店営業を管理するホールコンピュータに出力されることによって、ホールコンピュータが補給機構から球貯蔵部１０への球の補給の行われない異常を遊技店の店員に知らせる報知処理を行う。基板収容部１５は、上方に開口した箱形の部屋として構成される。基板収容部１５の底壁には、中継基板２６が、上方からタッピングスクリューのような図外の止ねじで取り付けられる。中継基板２６は、球払出装置１に関係する電気部品の全ての配線を集中的に接続するものであって、プリント配線板のような回路基板の上面に、コネクタ２７を複数実装した構造である。コネクタ２７は、中継基板２６に付設されたプリント配線のような薄状の配線で、電気回路を構成するように相互に接続される。
【００１２】
払出機構３の下部には中継樋３１が連結される。中継樋３１は、賞球通路３２、抜球通路３３、連結体３６を備える。払出機構３が球貯蔵部１０に貯蔵された球を払い出す賞球払出機能および抜球を排出する球抜機能を備えたことから、中継樋３１が賞球通路３２および抜球通路３３を備えたが、払出機構３が賞球払出機能だけを備える場合は、中継樋３１が賞球通路３２を備えるだけである。
【００１３】
図２を参照し、払出機構３の構造を説明する。払出機構３は、球払出構造体４、払出モータ１３、中継基板４１、駆動ソレノイド９６、機構躯体６、蓋体４０を備える。球払出構造体４の右端部８４には、上述した被検出体４５、異形連結部４６、円柱状突起４７を備える。蓋体４０は、払出軸８２の突起４７を回転可能に保持する軸受孔６４を備える。機構躯体６の箱底５７には右側に窪むモータ収納凹部５８が形成される。ステップモータのような払出モータ１３がモータ収納凹部５８内に収納されて図外の止ねじによってモータ収納凹部５８に固定される。中継基板４１は、箱底５７より立設された基板取付部５１に取り付けられる。中継基板４１は、プリント配線板のような回路基板により構成される。中継基板４１の左面には、コネクタや抵抗やコンデンサなどの図外の電気部品、位置検出器６６、抜球検出器６７が実装されるとともに払出モータ１３のモータ軸のような出力軸８１を左側に貫通させるための逃げ穴６５が形成される。逃げ穴６５より左に突出する出力軸８１の先端部８０と結合部４６の内側に形成された異形孔５２とが嵌め合わされる。先端部８０は出力軸８１の外周部の一部を取り除いた異形形状に形成され、異形孔５２は先端部８０の異形形状と合致する形状の孔に形成される。先端部８０と異形孔５２とが嵌め合わされて連結されることによって、払出モータ１３の駆動力が球払出構造体４を回転させる。
【００１４】
機構躯体６は左側が開口した箱形であり、蓋体４０が機構躯体６の開口１４５を塞ぐように機構躯体６に取り付けられる。球払出構造体４の左端部１０４の芯金８６が蓋体４０の軸受孔６４を通過して、軸受孔６４が突起４７の周囲に配置され、蓋体４０が機構躯体６の開口１４５の周りの周壁１４６に係合固定される。このようにして突起４７が軸受孔６４に回転可能に保持されるとともに芯金８６が払出軸受孔１７に回転可能に保持されたことによって、球払出構造体４は軸心が振れることなくスムーズに回転する。蓋体４０は、取込口１５１、賞球通路１５３、球抜通路１００、球検出器ホルダ１５２、切替駆動源９６、切替弁９７、抜球検知体１２６を備える。取込口１５１は、蓋体４０の下部に左面から窪む窪みとして形成され、上開口２１と連接して払出機構３に球を取り込む。賞球通路１５３、球抜通路１００は、取込口１５１と連接して取込口１５１の下部に形成される。賞球通路１５３、球抜通路１００は、前後方向に沿って、球抜通路１００、賞球通路１５３、賞球通路１５３、球抜通路１００の順番に設けられる。球検出器ホルダ１５２は、２つの賞球通路１５３の左面に設けられる。球検出器ホルダ１５２には払出球検出器５が保持される。ソレノイドのような切替駆動源９６は、蓋体４０の右面の上部中央に設けられる。切替弁９７は、切替駆動源９６と図外のリンク機構で互いに連結され、賞球通路１５３と球抜通路１００との入口側の境界部に回転中心軸１２３が設けられる。切替駆動源９６が切替弁９７を駆動することによって、取込口１５１を経由する球の進路を賞球通路１５３及び球抜通路１００のいずれかに切り替える。抜球検知体１２６は、蓋体４０の右面に左右方向に蓋体４０に設けた回転中心軸１３２により回転可能に取り付けられる。抜球検知体１２６は、抜球検出体１２７、被検知部１２８を備え、抜球検出体１２７が球抜通路１００内に突出して球抜通路１００を通過する球を検出するのに伴い、被検知部１２８が抜球検出器６７で検出されることによって、抜球数が制御装置に出力される。
【００１５】
被検出体４５の被検出部６０が位置検出器６６によって検出される。すなわち、位置検出器６６が電力供給を受け、検出光が位置検出器６６の凹部の一側を形成する発光部から凹部の他側を形成する受光部に照射された状態において、被検出体４５が球払出構造体４と一体となって回転すると、被検出体４５で遮られていた位置検出器６６の検出光が被検出体４５の２分の１回転ごとに被検出部６０を通過して受光部で受光される。これによって、位置検出器６６が被検出体４５の周壁部４９の回転位置を球払出構造体４の２分の１回転ごとに１回検出して回転位置信号を制御装置に出力する。制御装置は回転位置信号を入力して球払出構造体４の回転数が設定値となるように払出モータ１３を制御する。
【００１６】
図２を参照し、球が球貯蔵部１０の払出収容部１２から賞球通路１５３に払い出される動作について説明する。制御装置が図２の切替駆動源９６への電力供給を遮断し、切替弁９７が回転中心軸１２３より真上に垂直状に突出して球払出構造体４の払出軸８２と交差している。その状態において、制御装置が賞球払出処理によって払出モータ１３を一方向に駆動し、払出モータ１３が球払出構造体４を払出軸８２の周方向に回転する。これによって、螺旋体８５の隙間に取り込まれた球が、球払出構造体４の一方向への駆動に伴い払出収容部１２から上開口２１及び取込口１５１を通過して払出機構３の方に移動されて球Ｐとなる。球Ｐは、螺旋体８５から外れて自重で落下する。この落下する球Ｐは、垂直状に突出した切替弁９７によって、抜球通路１００の方向に行かないように遮られ、賞球通路１５３に案内され、賞球通路１５３から下方に払い出される。賞球通路１５３を落下する球Ｐは、払出球検出器５で検出される。払出球検出器５は、球Ｐを検出するごとに、払出検出信号を制御装置に出力する。制御装置は、払出検出信号をカウントアップまたはカウントダウンすることによって、球払出装置１から賞球として払い出される球の個数を管理し、払出モータ１３を停止する。カウントアップの場合、カウントアップした値が払出モータ１３を一方向に駆動するきっかけとなった賞球払出数に一致すると、制御装置が払出モータ１３を停止する。カウントダウンの場合、払出モータ１３を一方向に駆動するきっかけとなった賞球払出数を払出検出信号の入力ごとに減算し、賞球払出数がゼロになると、制御装置が払出モータ１３を停止する。
【００１７】
図２を参照し、球Ｐが球貯蔵部１０の払出収容部１２から抜球通路１００に払い出される動作について説明する。制御装置が図２の切替駆動源９６に電力を供給し、切替弁９７が仮想線で示されるように回転中心軸１２３を中心として球払出構造体４側に回転させる。その状態において、制御装置が抜球払出処理によって払出モータ１３を一方向に駆動し、払出モータ１３が球払出構造体４を払出軸８２の周方向に回転する。これによって、螺旋体８５の隙間に取り込まれた球が、球払出構造体４の一方向への駆動に伴い払出収容部１２から上開口２１及び取込口１５１を通過して払出機構３の方に移動されて球Ｐとなる。球Ｐは螺旋体８５から外れて自重で下方に落下する。この落下する球Ｐは、切替弁９７によって、賞球通路１５３の方向に行かないように遮られ、抜球通路１００に案内され、抜球通路１００から下方に払い出される。抜球通路１００を落下する球Ｐは抜球検出体１２７に衝突し、抜球感知体１２６を中継基板４１の方向に押す。抜球感知体１２６の下部が、回転軸１３２を中心として抜球検出器６７の方向に回転し、被検知部１２８が抜球検出器６７で検出される。抜球検出器６７は、被検知部１２８を検出するごとに、球抜き検出信号を制御装置に出力する。制御装置は、球抜き検出信号の入力される時間の間隔によって、球払出装置１から抜球として払い出される球がタンク２に存在するか否かを管理し、払出モータ１３を停止する。抜球として払い出される球がタンク２に存在する場合、払出モータ１３の回転数が一定であれば、球抜き検出信号の入力される時間の間隔は、螺旋体８５における払出軸８２の軸心と平行な方向の間隔（ピッチ）によって一定となる。そして、抜球として払い出される球がタンク２に不在になると、球抜き検出信号の入力される時間の間隔が上記一定の時間の間隔以上となる。よって、球抜き検出信号の入力される時間の間隔が一定の時間の間隔以上となると、制御装置が払出モータ１３を停止する。
【００１８】
図３を参照し、球払出装置１を備えた遊技機について説明する。遊技機の遊技機枠１７３は、固定枠１７４の前側に可動枠１７５を開閉可能に備える。固定枠１７４は、遊技店の島と呼ばれる遊技機設置構造体に取り付けられる外枠とも呼ばれる。可動枠１７５は、遊技盤や制御装置など遊技に必要な部品を取り付ける前枠とも呼ばれる。可動枠１７５は、左側に位置するヒンジ１７６を中心とし、固定枠１７４の前側で前側に開かれかつ後側に閉じられるように、片開き可能である。可動枠１７５には、開口部１７７が、前後方向の貫通孔として設けられる。開口部１７７は、遊技盤の裏面に取り付けられた球案内構造体や制御装置などの裏側部品を可動枠１７５の前側から裏側に貫通させるか、または、遊技盤の前面に取り付けられたガイドレールや入賞部品などの前側部品を可動枠１７５の裏側から前側に貫通させるためのものである。球払出装置１では、タンク２が、開口部１７７の上部に位置するように、可動枠１７５の裏面に、ねじのような固着具で、可動枠１７５の裏側から取り付けられる。中継樋３１の下部には、案内樋１７８が接続される。案内樋１７８は、開口部１７７の右側に位置するように、可動枠１７５の裏面に、ねじのような固着具で、可動枠１７５の裏側から取り付けられ、賞球通路１７９および抜球通路１８０を備える。賞球通路１７９は、中継樋３１の賞球通路３２に繋がる。賞球通路１７９から排出される球は、受樋１８１で受け止められる。受樋１８１は、開口部１７７の下部に位置するように、可動枠１７５の裏面に、ねじのような固着具で、可動枠１７５の裏側から取り付けられる。受樋１８１で受け止められた球は、受樋１８１から図外の皿構造体の受皿部に排出される。皿構造体は、可動枠１７５の前面に取り付けられる。皿構造体の受皿部は、遊技者が遊技に使用する球を入れる部分である。そして、球が受皿部に存在する状態において、遊技者が皿構造体の前面に設けられた発射操作機構を操作すると、皿構造体の裏側に位置するように、可動枠１７５の前面に取り付けられた発射機構が受皿部から供給された球を１個ずつ遊技盤のガイドレールで囲まれた内側の遊技領域に向けて発射する。抜球通路１８０は、中継樋３１の抜球通路３３に繋がる。抜球通路１８０から排出される球は、可動枠１７５の裏側から遊技機設置構造体の回収機構に排出される。回収機構に排出された球は、遊技機設置構造体の補給機構に戻される。
【００１９】
最良の形態１の球払出構造体によれば、払出軸８２が筒部８７と筒部８７の貫通孔８９の内壁１０１に固着された芯金８６とを備えたので、成形の際の球払出構造体４の軸心の曲がりを防止できる。芯金８６を備えたので払出軸８２に強度のある球払出構造体４が得られる。払出軸受孔１７を経由してタンク２の外側に突出する芯金８６の左端部１０４に除去部１０２を設けたことで、除去部１０２の平面部１０５を工具で掴み易くなり、球が螺旋体８５と螺旋体８５の周辺にあるタンクのような構造体との間に挟まれるいわゆる球詰まりを解消させるために球払出構造体４を人為的に回転させたい場合に、除去部１０２を工具で掴んで、球払出構造体４を容易に回転させることができる。筒部８７の右端部１０６が払出軸８２の１回転で２回検出される被検出部６０を備えたので、被検出部６０を検出する位置検出器６６によって払出軸８２の回転位置信号を正確に検出できるようになり、制御装置が回転位置信号に基づいて払出モータ１３の回転数制御を正確に行うことができる。筒部８７の右端部１０６が払出モータ１３の出力軸８０を連結する結合部４６を備えたので、球払出構造体４に駆動力を伝達するための歯車のような回転伝達機構を不要とでき、構成を簡略化できる。
【００２０】
最良の形態２
図５；６は最良の形態２を示す。図５は球払出構造体４の断面を示し、図６は球払出構造体４を備えた球払出装置１の断面を示す。最良の形態２の球払出構造体４は、被検出体４５における周壁部４９の外周面に平歯車による従動歯車４４が形成される。被検出体４５の張出部４８の右面より突出する右端部８４が、払出機構３の機構躯体６の箱底５７に形成された軸受部７２の軸受穴７３に回転可能に保持される。払出モータ１３は、箱底５７より立設されたモータ取付部５０に取り付けられる。払出モータ１３のモータ軸のような出力軸８１には駆動歯車４３が固定されており、駆動歯車４３と球払出構造体４の従動歯車４４とが噛み合わされる。払出モータ１３による回転駆動力が駆動歯車４３及び従動歯車４４を経由して払出軸８２に伝達されることで球払出構造体４が回転する。
【００２１】
中継基板４１の左側には切替構造体９４が設けられ、切替構造体９４の左側には検出構造体１４４が設けられる。切替構造体９４は、箱底５７より立設された取付部９５に取り付けられる。切替構造体９４の基盤９０には球払出構造体４の払出軸８２を通すための逃げ穴９１が形成される。基盤９０の逃げ穴９１の周囲の右面には突起４７を回転可能に保持する保持する軸受孔６４が形成される。基盤９０の左側には球抜通路１００が形成されるとともに切替弁９７と図外の切替駆動源とが設けられる。基盤９０の右側には球抜通路１００を通過する球を検知する抜球検知体１２６が設けられる。検出構造体１４４の基盤１５０が、機構躯体６の開口１４５を塞ぐ蓋のように機構躯体６の開口１４５の周りの周壁１４６に係合固定される。検出構造体１４４の基盤１５０には、球払出構造体４を通し、かつ、上開口２１と連接して払出機構３に球を取り込む取込口１５１が形成される。取込口１５１の下部には基盤１５０より左側に突出する球検出器ホルダ１５２を備え、球検出器ホルダ１５２に払出球検出器５が保持されている。基盤１５０の右側で取込口１５１の下部には賞球通路１５３が設けられる。
【００２２】
最良の形態２の球払出構造体４によれば、筒部８７の、右端部１０６が周壁部４９の外周面に平歯車による従動歯車４４を備えたので、払出モータ１３を球払出構造体４の軸心Ｇ上以外の位置に配置でき、払出モータ１３の取付位置の制限を少なくできる。例えば、パチンコ遊技機の裏面の部品搭載レイアウトの関係で払出モータ１３を球払出構造体４の右端部８４の右側に配置できない場合の払出機構３に用いることのできる球払出構造体４を提供できる。また、払出機構３の機構躯体６を矩形の箱状にでき、払出機構３の外形を凹凸の少ない形状にできることから、パチンコ遊技機の裏面の凹凸を少なくでき、パチンコ遊技機の裏面の煩雑さを少なくできる。
【産業上の利用可能性】
【００２３】
本発明の球払出構造体４の筒部８７の孔は、貫通孔８９でなくて筒部８７の右端部１０６の塞がれた孔でもよい。
【図面の簡単な説明】
【００２４】
【図１】球払出構造体の斜視図及び断面図（最良の形態１）。
【図２】球払出構造体を備えた球払出装置の断面図（最良の形態１）。
【図３】球払出装置を備えたパチンコ遊技機の裏面図（最良の形態１）。
【図４】球払出装置の分解斜視図（最良の形態１）。
【図５】球払出構造体の断面図（最良の形態２）。
【図６】球払出装置の断面図（最良の形態２）。
【符号の説明】
【００２５】
１  球払出装置、２  タンク、４  球払出構造体、１３  払出モータ、
４４  従動歯車（平歯車）、４５  被検出体、４６  結合部、４８  張出部、
４９  周壁部、６０  被検出部、８２  払出軸、８５  螺旋体、８６  芯金、
８７  筒部、８９  貫通孔（孔）、１０２  除去部、Ｇ  軸心。
【図１】
2007175327.tif 000003
【図２】
2007175327.tif 000004
【図３】
2007175327.tif 000005
【図４】
2007175327.tif 000006
【図５】
2007175327.tif 000007
【図６】
2007175327.tif 000008